(57)【要約】【課題】太陽光の集熱効率を高め、且つ管体との接触面積を大きくして熱変換効率を高くした集熱装置を提供する。【解決手段】本発明の集熱装置の基本構成は、太陽光Ｒを集光するレンズ（集光手段）２と、レンズ２により集光された太陽光に含まれる熱を集熱する集熱板（集熱手段）１であり、集熱板１が加熱することにより後述する媒体管内の媒体を加熱する構成である。従って、図１（Ａ―ａ）のように、集熱板１とレンズ２は対向して配置され、その間隔は、図１（Ａ―ｂ）に示すように、太陽光Ｒがレンズ２により集光されて集熱板１に焦点を結ぶように配置される。また、レンズ２は、図１（Ａ―ａ）のようにレンズ２ａと２ｂの溝２ｃが互いに直交するように配置される。【選択図】図１
2010121908.tif 000002
【特許請求の範囲】
【請求項１】
太陽光を集光する集光手段と、該集光手段により集光された光に含まれる熱を集熱する集熱手段と、該記集熱手段により集熱した熱により加熱される媒体を内部に有した媒体管と、前記集光手段、前記集熱手段、及び前記媒体管を一体化する筐体と、を備え、
前記集熱手段は、金属、又は／及び、カーボンを素材とした織物状の構造を備え、前記媒体管を挟み込んだ構成を有していることを特徴とする集熱装置。
【請求項２】
前記集熱手段は、金属、又は／及び、カーボンから成る縦糸及び横糸を用いて構成された、中心に凹部を有する四角錘形状の蜂の巣織りから成るユニットを複数連設した構成を備えていることを特徴とする請求項１に記載の集熱装置。
【請求項３】
前記集光手段は、リニアフレネルレンズにより構成され、該リニアフレネルレンズの溝が互いに直交するように複数配置したことを特徴とする請求項１に記載の集熱装置。
【請求項４】
請求項１乃至３の何れか一項に記載の集熱装置と、該集熱装置により加熱された媒体圧力により回転するタービンと、該タービンの回転力を用いて回転子を回転して発電する発電機と、前記タービンを回転した後の媒体を回収して前記集熱装置に戻す回収機構と、を備えたことを特徴とする太陽熱発電装置。
【請求項５】
請求項１乃至３の何れか一項に記載の集熱装置と、該集熱装置により加熱された媒体を圧縮する圧縮装置と、該圧縮装置により圧縮された媒体から発生する熱を熱交換により水を加熱する蓄熱タンクと、を備えたことを特徴とする太陽熱給湯装置。
【請求項６】
前記集熱装置により加熱された媒体を停止させる止水弁と、前記集熱装置により加熱された媒体を圧縮する圧縮装置と、該圧縮装置により圧縮された媒体から発生する熱を熱交換により水を加熱するか、又は／及び、熱交換器により室内機から送られる排熱を冷却する暖房・冷房用蓄熱タンクと、を備え、
前記暖房・冷房用蓄熱タンクを冷房用として使用するときは、前記止水弁を停止状態とすることを特徴とする太陽熱給湯冷暖房装置。
【発明の詳細な説明】
【技術分野】
【０００１】
本発明は、集熱装置に関し、さらに詳しくは、太陽熱を効率的に集熱するための集熱板の構成技術に関するものである。
【背景技術】
【０００２】
従来から太陽熱を利用した太陽熱集熱方法が多数提案されている。例えば、家屋の屋根に備えた集熱装置に水道水を循環させて、集熱装置により加熱された水を風呂水として利用する家庭用の集熱装置が一般的に知られている。しかし、日本のように、日照時間が比較的短い国では、集熱装置を備えても、夏季の日中を除いて水の温度が高温まで加熱されることは少ない。そのひとつの要因として、既存の集熱装置の熱変換効率があまり高くないといった点が挙げられる。
従来技術として特許文献１には、熱交換モジュールに金属繊維群層を備え、熱交換面積を増やして熱変換効率を高める集熱装置について開示されている。しかし、媒体（液体）を金属繊維群層に通過させて熱交換を行なうため、媒体中に金属繊維が剥がれ落ちて、媒体を流す管体を詰まらせる虞があった。
また、特許文献２には、金属ウール材を太陽熱により加熱して、その金属ウール材中を空気を流して加熱する技術について開示されている。しかし、冬季には暖房効果はあるが、夏季には温度が上昇し過ぎて使用できないといった問題がある。
また、特許文献３には、湾曲した集熱用金属板を平織りにしてパネル化した集熱パネルについて開示されている。しかし、集熱用金属板を平織りする手間がかかり、大量生産に向かないといった問題がある。
【特許文献１】特開平１０−１１１０２６号公報
【特許文献２】特許第２７６２２１２号
【特許文献３】特許第３５４４５２９号
【発明の開示】
【発明が解決しようとする課題】
【０００３】
従来の集熱装置では、太陽光を効率よく集光することができず、その結果、熱変換効率を上げることができなかった。また、太陽光から発生される熱を吸収するために、表面を黒色にして少しでも熱の反射を抑えるようにしたが、それにも限界があって、効率よく蓄熱することができなかった。
また、特許文献１に開示されている従来技術は、剥がれ落ちる金属繊維を除去するフィルタが必要となり、フィルタの目詰まりといった課題を抱えている。
また、特許文献２に開示されている従来技術は、一年を通して季節が寒い国ではそれなりに暖房効果を発揮するが、四季がある日本では、冬季以外には使用できないため、家屋に恒久的に備えることは困難である。
また、特許文献２に開示されている従来技術は、集熱用金属板を平織りする手間がかかり、大量生産に向かないため、集熱用金属板の価格が高くなるといった問題がある。
本発明は、かかる課題に鑑みてなされたものであり、太陽光の集熱効率を高め、且つ管体との接触面積を大きくして熱変換効率を高くした集熱装置を提供することを目的とする。
また、他の目的は、集熱体を線状の金属、又は／及び、カーボンにより織り物状の構造を備え、大量生産を可能にして価格を安くすることである。
【課題を解決するための手段】
【０００４】
本発明はかかる課題を解決するために、請求項１は、太陽光を集光する集光手段と、該集光手段により集光された光に含まれる熱を集熱する集熱手段と、該記集熱手段により集熱した熱により加熱される媒体を内部に有した媒体管と、前記集光手段、前記集熱手段、及び前記媒体管を一体化する筐体と、を備え、前記集熱手段は、金属、又は／及び、カーボンを素材とした織物状の構造を備え、前記媒体管を挟み込んだ構成を有していることを特徴とする。
本発明の最も大きな特徴は、集熱手段を金属、又は／及び、カーボンを素材として織物状に構成し、その織物状にした集熱手段により媒体管を挟み込んで加熱する。また、集熱手段に太陽光を効率よく集光するために、集光手段を備える。これにより、太陽光の集熱効率を高め、且つ管体との接触面積を大きくして熱変換効率を高くすることができる。
請求項２は、前記集熱手段は、金属、又は／及び、カーボンから成る縦糸及び横糸を用いて構成された、中心に凹部を有する四角錘形状の蜂の巣織りから成るユニットを複数連設した構成を備えていることを特徴とする。
金属線またはカーボン線に蓄熱した熱は、各線の間に形成された空気層を暖める。また、本発明では、線の織り方を中心に凹部を有する四角錘形状の蜂の巣織りとし、その形を一つの単位として複数連設して集熱手段を構成する。これにより、媒体管と集熱手段との間に空気層が多数形成され、この空気層が暖められて、更に蓄熱効果を高めることができる。
【０００５】
請求項３は、前記集光手段は、リニアフレネルレンズにより構成され、該リニアフレネルレンズの溝が互いに直交するように複数配置したことを特徴とする。
リニアフレネルレンズはシリンドリカルレンズを平板状にしたものと考えることができる。シリンドリカルレンズは、円柱を軸方向に２つに割った形状をしており、曲率を有する面は光を曲げるが、軸方向は曲率を有しないため、光は曲がらない性質を備えている。従って、リニアフレネルレンズに入射した太陽光は、集光して且つ軸方向に線状に広がる光となる。本発明では、このような性質を有するリニアフレネルレンズの溝（軸方向）が互いに直交するように配置する。これにより、集熱手段に当たる光を偏らずに集光することができる。
請求項４は、請求項１乃至３の何れか一項に記載の集熱装置と、該集熱装置により加熱された媒体圧力により回転するタービンと、該タービンの回転力を用いて回転子を回転して発電する発電機と、前記タービンを回転した後の媒体を回収して前記集熱装置に戻す回収機構と、を備えたことを特徴とする。
媒体として水を使用した場合、集熱装置により加熱された水は高温となって圧力が高まる。その加熱された蒸気をタービンに噴射することでタービンが回転する。タービンの軸は発電機に接続されており、発電機の回転子を回転して発電する。タービンを回転した後の媒体はまだ高温、高圧であるので、一旦圧力を落として集熱装置に戻す。これにより、簡単な構成で且つ、外部からの燃料供給の必要なく発電することができる。
【０００６】
請求項５は、請求項１乃至３の何れか一項に記載の集熱装置と、該集熱装置により加熱された媒体を圧縮する圧縮装置と、該圧縮装置により圧縮された媒体から発生する熱を熱交換により水を加熱する蓄熱タンクと、を備えたことを特徴とする。
加熱された媒体を更に圧縮すると、媒体は更に高温となる。この高温な媒体を介して水を熱交換して加熱して蓄熱タンクに溜めておく。蓄熱タンク内の水は常に加熱されているため、湯として供給することができる。これにより、昼間に蓄熱した湯を蓄熱タンクに貯留して利用することができる。
請求項６は、前記集熱装置により加熱された媒体を停止させる止水弁と、前記集熱装置により加熱された媒体を圧縮する圧縮装置と、該圧縮装置により圧縮された媒体から発生する熱を熱交換により水を加熱するか、又は／及び、熱交換器により室内機から送られる排熱を冷却する暖房・冷房用蓄熱タンクと、を備え、前記暖房・冷房用蓄熱タンクを冷房用として使用するときは、前記止水弁を停止状態とすることを特徴とする。
本発明ではタンクを２つ備え、その間を繋ぐ媒体管に止水弁を設け、冬季の暖房及び給湯には止水弁を開放して２つのタンクを暖房・給湯用として使用する。また、夏季には、一方のタンクはそのまま給湯用に使用し、止水弁を閉止して他方のタンクは、室内機の排熱をタンク内の水で冷却して冷房用として使用する。これにより、冬季と夏季に暖房・給湯と冷房にそれぞれ使い分けることができる。
【発明の効果】
【０００７】
本発明によれば、集熱手段を金属線、又は／及び、カーボン線を使用して織物状に構成し、その織物状にした集熱手段により媒体管を挟み込んで加熱し、集熱手段に太陽光を効率よく集光するために、集光手段を備えるので、太陽光の集熱効率を高め、且つ管体との接触面積を大きくして熱変換効率を高くすることができる。
また、線の織り方を中心に凹部を有する四角錘形状の蜂の巣織りとし、その形を一つの単位として複数配置して集熱手段を構成するので、媒体管と集熱手段との間に空気槽が多数形成され、この空気槽が暖められて、更に蓄熱効果を高めることができる。
また、リニアフレネルレンズに入射した太陽光は、集光して且つ軸方向に線状に広がる光となる。このような性質を有するリニアフレネルレンズの溝（軸方向）が互いに直交するように配置するので、媒体管に当たる光を偏らずに配分することができる。
また、集熱装置により加熱された蒸気をタービンに噴射することでタービンを回転させて発電するので、簡単な構成で且つ、外部からの燃料供給の必要なく発電することができる。
また、加熱された媒体を更に圧縮して高温の媒体とし、この媒体を介して水を熱交換して加熱して蓄熱タンクに溜めておくので、昼間に蓄熱した湯を蓄熱タンクに貯留して利用することができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１（Ａ―ａ）は本発明に係る集熱装置を構成するリニアフレネルレンズ（以下、単にレンズと呼ぶ）と集熱板の位置関係を模式化して表した図であり、図１（Ａ―ｂ）は太陽光がレンズにより集熱板に集光している様子を示す図である。本発明の集熱装置の基本構成は、太陽光Ｒを集光するレンズ（集光手段）２と、レンズ２により集光された太陽光に含まれる熱を集熱する集熱板（集熱手段）１であり、集熱板１が加熱することにより後述する媒体管内の媒体を加熱する構成である。従って、図１（Ａ―ａ）のように、集熱板１とレンズ２は対向して配置され、その間隔は、図１（Ａ―ｂ）に示すように、太陽光Ｒがレンズ２により集光されて集熱板１に焦点を結ぶように配置される。また、レンズ２は、図１（Ａ―ａ）のようにレンズ２ａと２ｂの溝２ｃが互いに直交するように配置される。これにより、レンズ２ａによる焦点Ｑは、集熱板１に対して横方向に太陽光Ｒが当たるようになり、レンズ２ｂによる焦点Ｑは、集熱板１に対して縦方向に太陽光Ｒが当たるようになる。
【０００９】
リニアフレネルレンズはシリンドリカルレンズを平板状にしたものと考えることができる。シリンドリカルレンズは、円柱を軸方向に２つに割った形状をしており、曲率を有する面は光を曲げるが、軸方向は曲率を有しないため、光は曲がらない性質を備えている。従って、レンズ２に入射した太陽光Ｒは、集光して且つ軸方向に線状に広がる光となる。本実施形態では、このような性質を有するレンズ２ａ、２ｂの溝（軸方向）２ｃが互いに直交するように配置する。これにより、集熱板１に当たる光を偏らずに集光することができる。
図１（Ｂ―ａ）は本発明に係る集熱装置を構成するフレネルレンズと集熱板の位置関係を模式化して表した図であり、図１（Ｂ―ｂ）は光がフレネルレンズにより集熱板に集光している様子を示す図である。図１（Ａ）ではレンズとしてリニアフレネルレンズを使用したが、これに限らず、図１（Ｂ）のようにフレネルレンズ３を使用しても構わない。
【００１０】
図２は集熱板の具体的な構成を示す図である。集熱板１は、金属線、又は／及び、カーボン線を縦糸及び横糸として、中心に凹部を有する四角錘形状の蜂の巣織りを複数配置するように構成した。即ち、図２のＡ−Ａ断面は蜂の巣織りの凹部Ｐの断面を示しており、Ｂ−Ｂ断面は蜂の巣織りの最も高い位置の断面を示している。この断面から１つの蜂の巣織り（以下、蜂の巣部と呼ぶ）は４隅が高く中心に凹部Ｐを有する四角錘（ピラミッド形）を下から見たような形状である（詳細は図３）。同様にＤ−Ｄ断面は蜂の巣織りの凹部Ｐの断面を示しており、Ｃ−Ｃ断面は蜂の巣織りの最も高い位置の断面を示している。そして、蜂の巣部を複数繋ぎ合わせて１つの集熱板を構成し、線材を織り機にセットして大量に生産することができる。
即ち、金属線またはカーボン線に蓄熱した熱は、各線の間に形成された空気層を暖める。また、本発明では、線の織り方を中心に凹部を有する四角錘形状の蜂の巣織りとし、その形を一つの単位として複数配置して集熱板１を構成する。これにより、媒体管と集熱板１との間に空気層が多数形成され、この空気層が暖められて、更に蓄熱効果を高めることができる。
【００１１】
図３は図２で説明した集熱板の蜂の巣部の拡大図である。図３（ａ）は正面図、図３（ｂ）は斜視図である。図３では縦糸５と横糸４が区別できるようにするために、縦糸５を黒、横糸４を白として表す。図３（ａ）より、蜂の巣織りは、縦糸と横糸を織った形が蜂の巣の形のようになることからこの呼び名がある。蜂の巣織りの特徴は、図３（ｂ）のように縦糸５と横糸４で囲まれた中心Ｐが凹部となり、図３（ｃ）の模式図に示すように断面から見ると逆ピラミッド型をしている。
図４は本発明の集熱装置の１つの光軸に時間と共に変化する太陽光の様子を示す図である。図では８時から１６時までの太陽光の動きと集熱板１に太陽光が移動する様子を示している。例えば、８時の太陽光はレンズ２の右側から入射してレンズ２により集熱板１のａに集光する。また、１６時の太陽光はレンズ２の左側から入射してレンズ２により集熱板１のｂに集光する。その結果、８時から１６時の間に太陽光は集熱板１のａ〜ｂの範囲に集光する。レンズ２には全ての面からこのような光が集熱板１に集光するため、全体として常に集熱板１の全面に太陽光が集光していることになる。その結果、断熱材７により覆われたケース６の内部は、集熱板１の輻射熱により高い温度に維持されることになる。
【００１２】
図５は太陽光がレンズへ入射する角度と集熱板に集光する位置との関係を示す図である。図５（ａ）は入射角が集熱板１と直交する場合であり、集熱板１の略中点ａに集光する。図５（ｂ）は入射角が集熱板１と３０°の角度をなす場合であり、集熱板１の中点より下のｂに集光する。図５（ｃ）は入射角が集熱板１と６０°の角度をなす場合であり、集熱板１の中点より更に下のｃに集光する。このように、レンズ２は太陽光の移動に追従して集光点を集熱板１全体に移動させることがわかる。即ち、１日の太陽の動きに対して集熱装置を移動させることなく、太陽光を効率よく集光することができる。
図６は集熱装置を傾斜させたときの季節ごとの集光点の移動を表す図である。図６（Ａ）は冬至南中時の太陽高度の場合を表し、図６（Ａ−ａ）は集熱装置を３０°傾斜させた場合（屋根面等）であり、低い角度から入射する太陽光に対して、レンズ２の集光により充分集熱板１に太陽光が効率よく集光していることがわかる。また、図６（Ａ−ｂ）は集熱装置を垂直壁面に固定させた場合であり、この場合も低い角度から入射する太陽光をレンズ２により効率よく集光しているのがわかる。また、図６（Ｂ）は夏至南中時の太陽高度の場合を表し、図６（Ｂ−ａ）は集熱装置を３０°傾斜させた場合（屋根面等）であり、高い角度から入射する太陽光に対して、レンズ２の集光により充分集熱板１に太陽光が効率よく集光していることがわかる。また、図６（Ｂ−ｂ）は集熱装置を垂直壁面に固定させた場合であり、この場合も高い角度から入射する太陽光をレンズ２により効率よく集光しているのがわかる。このように本発明の集熱装置は、家屋の屋根ばかりでなく壁面に設置しても、１年を通じて太陽光を効率よく集光することができる。
【００１３】
図７は本発明の集熱装置により輻射熱が発生する様子を説明する図である。図７（ａ）では、９時の太陽方位から１５時の太陽方位に変化した場合を図示している。各時間帯の太陽光は前述したとおりレンズ２により集光されて集熱板１に集熱し、集熱板１を加熱する。集熱板１は図２、図３で説明したように、金属線、又は／及び、カーボン線を織り込んだものであるので、表面に細かい凹凸がある。それにより、集光した光は表面で乱反射することにより、光（熱）がレンズ２と集熱板１の間を何回も往復して集熱板１の表面を均一に加熱することになる。その結果、集熱板１はレンズ２により集光した光を効率よく熱に変換することができ、輻射熱１４を集熱板１の裏面から放射することができる。
図７（ｂ）は集熱板の輻射熱を媒体管に伝導させる様子を説明する図である。集熱板１の裏面からは、輻射熱１４が発生する。本発明では、この輻射熱を媒体管１５を介して内部の媒体（一般的には水）を加熱する。従って、媒体管１５は熱伝導率が良い銅、アルミ等が適している。また、集熱板１と媒体管１５の接触面積が大きいほど熱の伝導率は良くなる。そのため本発明では、媒体管１５を集熱板１で挟むように構成する（詳細は後述する）。
【００１４】
図８本発明の集熱装置を構成する集熱板と媒体管の位置関係を表す図である。図２、図３で集熱板１は蜂の巣織りにより凹部Ｐが形成され、その結果、空気層が多くなり保温の効果が高いことを説明した。またレンズ２の焦点は、ほぼ集熱板１の最も高い位置Ｑにあるため、点Ｑの温度が最も高くなる。そして、凹部Ｐの温度は焦点が少しずれるため温度は低くなるが、その分、光を照射する面積が増加する。本発明では、媒体管１５を蜂の巣織りで形成した集熱板１と、平織りで形成した集熱板１ａで挟み込むように構成する。これにより、媒体管１５ａは集熱板１に密着するが、媒体管１５ｂ、１５ｃは集熱板１とは密着しないが、点Ｑの温度が最も高くなり空気層により加熱されるため、大きな温度差は生じない。尚、レンズ２、集熱板１、及び媒体管１５を一体として構成する筐体を備えていることは言うまでもない。そして、筐体の内部は外気温と遮断するために、断熱材により構成されている。
図９は本発明の太陽熱発電装置の概略構成を示す模式図である。この太陽熱発電装置５０は、図１〜図８で説明した集熱装置３０と、集熱装置３０により加熱された媒体圧力により回転するタービン３２と、タービン３２の回転力を用いて回転子を回転して発電する発電機３３と、発電機３３により発電された電力を所定の電圧に揃えるパワーコンディショナ３４と、タービン３２を回転した後の媒体を回収するために圧力を低下させる膨張タンク３５と、逆止弁３６と、を備えて構成される。
即ち、媒体として水を使用した場合、集熱装置３０により加熱された水は高温となって圧力が高まる。その加熱された蒸気をタービン３２に噴射することでタービン３２が回転する。タービン３２の軸は発電機３３に接続されており、発電機３３の回転子を回転して発電する。タービン３２を回転した後の媒体はまだ高温、高圧であるので、一旦圧力を落として集熱装置３０に戻す。これにより、簡単な構成で且つ、外部からの燃料供給の必要なく発電することができる。
【００１５】
図１０は本発明の太陽熱給湯装置の概略構成を示す模式図である。この太陽熱給湯装置５１は、図１〜図８で説明した集熱装置３０と、集熱装置３０により加熱された媒体を圧縮する圧縮装置３８と、圧縮装置３８により圧縮された媒体から発生する熱を熱交換して水を加熱する蓄熱タンク３９と、蓄熱タンク３９に蓄えられた媒体の圧力を減ずる減圧弁４０と、減圧された媒体を膨張する膨張タンク４１と、逆止弁３７、４２と、を備えて構成される。
即ち、加熱された媒体を更に圧縮すると、媒体は更に高温となる。この高温な媒体を介して水を熱交換して加熱して蓄熱タンク３９に溜めておく。蓄熱タンク３９内の水は常に加熱されているため、湯として供給することができる。これにより、昼間に蓄熱した湯を蓄熱タンク３９に貯留して利用することができる。
図１１は本発明の太陽熱給湯冷暖房装置の概略構成を示す模式図である。この太陽熱給湯装置５２は、図１〜図８で説明した集熱装置３０と、集熱装置３０により加熱された媒体を圧縮する圧縮装置３８、４５と、圧縮装置３８、４５により圧縮された媒体から発生する熱を熱交換して水を加熱する蓄熱タンク３９と、蓄熱タンク３９に蓄えられた媒体の圧力を減ずる減圧弁４０と、減圧された媒体を膨張する膨張タンク４１と、逆止弁３７、４２、４４と、夏季に媒体管３１からの熱湯を停止する止水弁４３と、暖房、冷房用蓄熱タンク４６と、冷房機との熱交換を行なう熱交換器４７と、を備えて構成される。
【００１６】
次に本発明の太陽熱給湯冷暖房装置の動作について説明する。給湯・暖房では、止水弁４３を開放して媒体は圧縮装置３８と４５の両方を通り、夫々蓄熱タンク３９と４６に送られ、各蓄熱タンク内の水を加熱する。次に冷房時には、止水弁４３を閉止して、蓄熱タンク３９は冬場と同じ作用になり、蓄熱タンク４６は室内機から送られる排熱を蓄熱タンク４６内の熱交換器４７で熱交換し、蓄熱タンク４６内の水により冷却される。それにより、タンク内の水は加熱され、バイパス間４８により蓄熱タンク３９に送られて更に加熱されて給湯に使われる。
【図面の簡単な説明】
【００１７】
【図１】（Ａ―ａ）は本発明に係る集熱装置を構成するリニアフレネルレンズと集熱板の位置関係を模式化して表した図、（Ａ―ｂ）は太陽光がレンズにより集熱板に集光している様子を示す図、（Ｂ―ａ）は本発明に係る集熱装置を構成するフレネルレンズと集熱板の位置関係を模式化して表した図、（Ｂ―ｂ）は太陽光がレンズにより集熱板に集光している様子を示す図である。
【図２】集熱板の具体的な構成を示す図である。
【図３】図２で説明した集熱板の蜂の巣部の拡大図であり、（ａ）は正面図、（ｂ）は斜視図、（ｃ）は模式図である。
【図４】本発明の集熱装置の１つの光軸に時間と共に変化する太陽光の様子を示す図である。
【図５】（ａ）乃至（ｃ）は、太陽光がレンズへ入射する角度と集熱板に集光する位置との関係を示す図である。
【図６】（Ａ―ａ）乃至（Ｂ―ｂ）は、集熱装置を傾斜させたときの季節ごとの集光点の移動を表す図である。
【図７】（ａ）は９時の太陽方位から１５時の太陽方位に変化した場合を示す図、（ｂ）は集熱板の輻射熱を媒体管に伝導させる様子を説明する図である。
【図８】本発明の集熱装置を構成する集熱板と媒体管の位置関係を表す図である。
【図９】本発明の太陽熱発電装置の概略構成を示す模式図である。
【図１０】本発明の太陽熱給湯装置の概略構成を示す模式図である。
【図１１】本発明の太陽熱給湯冷暖房装置の概略構成を示す模式図である。
【符号の説明】
【００１８】
１  集熱板、２  リニアフレネルレンズ、３  フレネルレンズ、４  横糸、５  縦糸、６  ケース、７  断熱材、８  焦点面、９〜１２  太陽光、１３  集熱板表面乱反射、１４  輻射熱、１５  媒体管、３０  集熱装置、３１  媒体管、３２  発電機、３４  パワーコンディショナ、３５  膨張タンク、３６  逆止弁、３７、４２、４４  逆止弁、３８  圧縮装置、３９  蓄熱タンク、４０  減圧弁、４１  膨張タンク、４３  止水弁、４５  圧縮装置、４６  蓄熱タンク、４７  熱交換器、４８  バイパス管、５０  太陽熱発電装置、５１  太陽熱給湯装置、５２  太陽熱給湯冷暖房装置
【図１】
2010121908.tif 000003
【図２】
2010121908.tif 000004
【図３】
2010121908.tif 000005
【図４】
2010121908.tif 000006
【図５】
2010121908.tif 000007
【図６】
2010121908.tif 000008
【図７】
2010121908.tif 000009
【図８】
2010121908.tif 000010
【図９】
2010121908.tif 000011
【図１０】
2010121908.tif 000012
【図１１】
2010121908.tif 000013